(57)【要約】【課題】シートバックの引き起こし、前倒し作業を伴うことなく、フロア面にリヤレッグブラケットを固定可能にする。【解決手段】  シートバック１４が、前後方向に延びるリヤレッグブラケット１８をその下端に回動自在に有してなり、シートバック枢着点の前後位置でのボルト止めにより、リヤレッグブラケットをフロア面に固定可能にする。そして、ダイブダウン位置となるシートバック１４の前倒し状態でリヤレッグブラケット１８の前側ボルト孔３０を覆うシートバック側部材の対応箇所に、開閉可能な蓋部３４を設け、フロア面へのリヤレッグブラケットの固定作業時、シートバックの前倒し状態で蓋部を開放してリヤレッグブラケットの前側ボルト孔を露出させることにより、リヤシートの前倒し状態での、リヤレッグブラケットの前側ボルト孔へのボルト止めを可能にする。【選択図】  図３
2014012479.tif 000002
【特許請求の範囲】
【請求項１】
フロア面にその下端の連結された少なくとも前倒し可能なシートバックと、当該シートバックにその後端を回動可能に連結することで、シートバックとの着座面合わせでの折りたたみを可能としたシートクッションとを備え、シートクッションの折りたたみを伴うシートバックの前倒しにより、シートバック、シートクッションをフロア面より低い低段フロア面上に格納可能とするダイブダウンシートにおいて、
シートバックが、前後方向に延びるリヤレッグブラケットをその下端に回動自在に有してなり、シートバック枢着点の前後位置でのボルト止めにより、リヤレッグブラケットをフロア面に固定可能とするとともに、
ダイブダウン位置となるシートバックの前倒し状態でリヤレッグブラケットの前側ボルト孔を覆うシートバック側部材の対応箇所に、開閉可能な蓋部を設け、フロア面へのリヤレッグブラケットの固定作業時、シートバックの前倒し状態で当該蓋部を開放してリヤレッグブラケットの前側ボルト孔を露出させることにより、リヤシートの前倒し状態での、リヤレッグブラケットの前側ボルト孔へのボルト止めを可能にしたことを特徴とするダイブダウンシート。
【請求項２】
前記蓋部材が、シートバックのフレーム側面を被装する樹脂製の側面カバーに肉薄ヒンジを介して開閉可能に設けられた部分延長片からなり、当該肉薄ヒンジでの折り曲げにより、シートバックのフレーム内面に固定された略矩形状のワイヤブラケット上に少なくとも部分的に載置されるとともに、蓋部材に設けられた係止片により、ワイヤブラケットに係着可能に構成された請求項１記載のダイブダウンシート。
【発明の詳細な説明】
【技術分野】
【０００１】
本発明は、車両用シートに関するものであり、特に、シートクッションの折りたたみを伴うシートバックの前倒しにより、当該シートバック、シートクッションをフロア面より低い低段フロア面上に格納可能とするダイブダウンシートに関する。
【背景技術】
【０００２】
車両用シートとして、たとえば、車両のフロア面にその下端の連結された少なくとも前倒し可能なシートバックと、当該シートバックにその後端を回動可能に連結することで、シートバックとの着座面合わせでの折りたたみを可能としたシートクッションとを備え、シートクッションの折りたたみを伴ったシートバックの前倒しにより、シートバック、シートクッションをフロア面より低い低段フロア面上に格納可能とする、いわゆるダイブダウンシートが知られている（たとえば特開２００５−２１２５５４号公報参照）。
【０００３】
この種のダイブダウンシートにおいて、シートバックは、通常、その下端に前後方向に延びるリヤレッグブラケットを回動自在に有してなり、このリヤレッグブラケットのシートバック枢着点の前後位置でリヤレッグブラケットをフロア面にボルト止めすることにより、フロア面に対し取り付けられる。
【先行技術文献】
【特許文献】
【０００４】
【特許文献１】特開２００５−２１２５５４号公報
【発明の概要】
【発明が解決しようとする課題】
【０００５】
ところで、この種のダイブダウンシートを車両のフロア面に組み付ける場合、通常は、ダイブダウン形態と同様のシートバック、シートクッションの折りたたみ状態でダイブダウンシートが車両室内に搬入され、フロア面に対する位置決めを行った後、まずリヤレッグブラケットのシートバック枢着点に対する後側ボルト孔でのボルト止めを仮止めとして一旦行う。その後、シートバックを引き起こし、その起立状態でリヤレッグブラケットのボルト孔でのボルト止めを行い、更にシートバックを再度前倒ししてリヤレッグブラケットの後側ボルトの本締めを行うことで、フロア面へのリヤレッグブラケット、つまりはシートバックの固定を行っている。このような構成であると、シートバックの引き起こし、前倒し作業がリヤレッグブラケットの前後のボルト止めの都度行われるため、その作業性の低下が避けられない。
【０００６】
通常、リヤレッグブラケットの前側ボルト孔は、リヤシートの前倒し状態ではリヤシートによって覆われる位置にあるため、フロア面への固定作業時においては、このようなシートバックの引き起こし、前倒し作業は避けられないものとなっている。
【０００７】
本発明は、シートバックの引き起こし、前倒し作業を伴うことなく、フロア面にリヤレッグブラケットを固定可能とするダイブダウンシートの提供を目的としている。
【課題を解決するための手段】
【０００８】
請求項１に係る本発明によれば、シートバックが、前後方向に延びるリヤレッグブラケットをその下端に回動自在に有してなり、シートバック枢着点の前後位置でのボルト止めにより、リヤレッグブラケットをフロア面に固定可能とするとともに、ダイブダウン位置となるシートバックの前倒し状態でリヤレッグブラケットの前側ボルト孔を覆うシートバック側部材の対応箇所に、開閉可能な蓋部を設け、フロア面へのリヤレッグブラケットの固定作業時、シートバックの前倒し状態で当該蓋部を開放してリヤレッグブラケットの前側ボルト孔を露出させることにより、リヤシートの前倒し状態での、リヤレッグブラケットの前側ボルト孔へのボルト止めを可能にしている。
【０００９】
また、請求項２に係る本発明によれば、蓋部材を、シートバックのフレーム側面を被装する樹脂製の側面カバーに肉薄ヒンジを介して開閉可能に設けた部分延長片とし、肉薄ヒンジでの折り曲げにより、シートバックのフレーム内面に固定された略矩形状のワイヤブラケット上に少なくとも部分的に載置するとともに、蓋部材に設けられた係止片により、このワイヤブラケットに係着可能としている。
【発明の効果】
【００１０】
請求項１に係る本発明では、シートバックの前倒し状態でリヤレッグブラケットの前側ボルト孔を覆うシートバック側部材の対応箇所に、開閉可能な蓋部を設けているため、この蓋部を開放することで、シートバックの前倒し状態における、リヤレッグブラケットの前側ボルト孔へのボルト止めが可能になる。つまり、シートバックの前倒し状態で、リヤレッグブラケットの後側ボルト孔、前側ボルト孔双方のボルト止めが可能になるため、シートバックの引き起こし、前倒し作業を伴うことなく、車両フロア面へのリヤレッグブラケットの固定作業が容易に可能になる。
【００１１】
また、請求項２に係る本発明では、シートバックのフレーム内面に固定した略矩形状のワイヤブラケットに対し蓋部を係着可能としているため、構成の複雑化を伴うことなく、蓋部の係着が容易に可能となる。更に、蓋部の係着対象が略矩形状のワイヤブラケットであるため、蓋部に重なる位置に存在させても、リヤレッグブラケットの前側ボルト孔でのボルト止め作業の妨げとなることがない。
【図面の簡単な説明】
【００１２】
【図１】（Ａ）（Ｂ）は、本発明の一実施例に係るダイブダウンシートの着座位置、シートバックの前倒し位置（ダイブダウン状態）での側面図をそれぞれ示す。
【図２】（Ａ）（Ｂ）は、蓋部材の開放状態、閉鎖状態でのダイブダウンシートの部分斜視図をそれぞれ示す。
【図３】リヤレッグブラケットの前側ボルト孔でのボルト止め作業時における、ダイブダウンシートの部分斜視図を示す。
【発明を実施するための形態】
【００１３】
ダイブダウンシートのシートバックが、前後方向に延びるリヤレッグブラケットをその下端に回動自在に有してなり、シートバック枢着点の前後位置でのボルト止めにより、リヤレッグブラケットをフロア面に固定可能とするとともに、ダイブダウン位置となるシートバックの前倒し状態でリヤレッグブラケットの前側ボルト孔を覆うシートバック側部材の対応箇所に、開閉可能な蓋部を設け、フロア面へのリヤレッグブラケットの固定作業時、シートバックの前倒し状態で当該蓋部を開放してリヤレッグブラケットの前側ボルト孔を露出させることにより、リヤシートの前倒し状態での、リヤレッグブラケットの前側ボルト孔へのボルト止めを可能にしている。
【実施例】
【００１４】
以下、図面を参照しながら本発明の一実施例について詳細に説明する。図１（Ａ）（Ｂ）は本発明の一実施例に係るダイブダウンシートの着座位置、シートバックの前倒し位置（ダイブダウン状態）での側面図をそれぞれ示す。また、図２（Ａ）（Ｂ）は、蓋部材の開放状態、閉鎖状態でのダイブダウンシートの部分斜視図、図３はリヤレッグブラケットの前側ボルト孔でのボルト止め作業時における、ダイブダウンシートの部分斜視図をそれぞれ示す。
【００１５】
図１（Ａ）に示すように、ダイブダウンシート１０は、車両のフロア面１２−１にその下端の連結された少なくとも前倒し可能なシートバック１４と、当該シートバックにその後端を回動可能に連結したシートクッション１６とを備えている。
【００１６】
図１（Ａ）（Ｂ）を見るとわかるように、シートバック１４は、その下端にリヤレッグブラケット１８を回動自在に有してなり、このリヤレッグブラケットを介してフロア面１２−１に、たとえば前倒し可能に連結される。図１（Ａ）（Ｂ）の参照符号２０は、シートバック１４とリヤレッグブラケット１８との間に介在されたヒンジ２２を有するロック機構であり、所定のロック解除操作に伴う当該ロック機構のロック解除により、シートバックが前後方向に回動可能となるとともに、図１（Ａ）に示す起立位置、および図１（Ｂ）に示す前倒し位置でのこのロック機構のロック作動により、シートバックは起立位置、前倒し位置において固定的に保持される。
【００１７】
また、このシートバック１４の、たとえば中間位置には、ブラケット２４およびヒンジ２６を介して、シートクッション１６の後端が、回動可能、たとえばシートバックの着座面１４ａにシートクッションの着座面１６ａを合わせる跳ね上げ動作を可能に連結されている。
【００１８】
このシートクッション１６は、たとえばその前端部下面に回動可能な脚部材２８を有して形成され、図１（Ａ）に示すその着座位置では、脚部材の起立状態において、シートクッションが支持されるとともに、図１（Ｂ）に示すシートバック１４の前倒れ状態においては、シートクッションに対する回動、つまりは脚部材の折りたたみにより、シートバックの前倒しが保障される。このシートバック１４に対する跳ね上げ方向へのシートクッション１６の折りたたみを伴うシートバックの前倒しにより、シートバック、シートクッションは、フロア面１２−１より低い低段フロア面１２−２上に格納される。
【００１９】
なお、この種のダイブダウンシートの基本構成および基本動作は、たとえば特開２００５−２１２５５４号公報等により公知であり、その基本構成および基本動作はこの発明の趣旨でないため、ここでの詳細な説明は省略する。
【００２０】
ここで、図２（Ａ）に示すように、この発明におけるリヤレッグブラケット１８は、シートバック１４の枢着点、つまりヒンジ２２の前後位置にボルト孔３０，３２を有して形成され、この前後のボルト孔でのボルト止めにより、リヤレッグブラケット、つまりはシートバック１４がフロア面に対して連結される。そして、この発明においては、ダイブダウン位置となるシートバック１４の前倒し状態でリヤレッグブラケット１８の前側ボルト孔３２を覆うシートバック側部材の対応箇所に、開閉可能な蓋部３４を設けている。
【００２１】
図２（Ａ）（Ｂ）に示すように、この蓋部３４は、たとえばシートバックの１４フレーム側面を被装する樹脂製の側面カバー３６に肉薄ヒンジ３８を介して開閉可能に設けられた部分延長片からなり、当該肉薄ヒンジでの折り曲げにより、シートバックのフレーム内面に固定された略矩形状のワイヤブラケット４０上に少なくとも部分的に載置されるとともに、蓋部材に設けられた係止片、たとえばクリップ４２により、ワイヤブラケットに係着可能に構成されている。
【００２２】
たとえば、このダイブダウンシート１０を車両のフロア面１２−１に組み付けるにあたっては、まず、ダイブダウン形態と同様のシートバック１４、シートクッション１６の折りたたみ状態で、ダイブダウンシートが車両室内に搬入される。そして、フロア面に対する位置決めを行った後、たとえばリヤレッグブラケットの後側ボルト孔３０でのボルト止めを行い、その後、図３に示すように、蓋部３４の開放状態でワイヤブラケット４０を通した工具４４により、リヤレッグブラケットの前側ボルト孔３２でのボルト止めを行う。その後、肉薄ヒンジ３８での折り曲げのもとで蓋部３４を閉鎖方向に回動させ、ワイヤブラケット４０にクリップ（係止片）４２を係着することにより、リヤレッグブラケットへのボルト止め作業は完了する。
【００２３】
上記のように、この発明のダイブダウンシート１０によれば、シートバック１４の前倒し状態でリヤレッグブラケットの前側ボルト孔３２を覆う蓋部３４を開放することで、シートバックの前倒し状態における、リヤレッグブラケットの前側ボルト孔へのボルト止めが可能になる。つまり、シートバック１４の前倒し状態で、リヤレッグブラケットの後側ボルト孔３０、前側ボルト孔３２双方のボルト止めが可能になるため、シートバックの引き起こし、前倒し作業を伴うことなく、車両のフロア面１２−１へのリヤレッグブラケット１８の固定作業が容易に可能になる。
【００２４】
なお、この実施例においては、シートバック１４のフレーム内面に固定した略矩形状のワイヤブラケット４０に対し蓋部３４を係着するものとしているが、これに限定されず、ワイヤ部材以外からなるブラケットに対し、蓋部を係着する構成としてもよい。しかしながら、この実施例のように、矩形状のワイヤブラケット４０を利用すれば、ワイヤブラケットを通しての工具４４での作業が可能となるため、作業性の一層の向上が容易にはかられる。
【００２５】
上述した実施例は、この発明を説明するためのものであり、この発明を何等限定するものでなく、この発明の技術範囲内で変形、改造等の施されたものも全てこの発明に包含されることはいうまでもない。
【産業上の利用可能性】
【００２６】
本発明は、自動車等に搭載されるダイブダウンシートに一般的に応用されるが、たとえば、電車、飛行機等のシートはもちろん、ダイブダウンシートであれば映画館、劇場、コンサート会場などのシートにも応用してもよい。
【符号の説明】
【００２７】
１０      ダイブダウンシート
１２−１  フロア面
１４      シートバック
１６      シートクッション
１８      リヤレッグブラケット
３０      リヤレッグブラケットの後側ボルト孔
３２      リヤレッグブラケットの前側ボルト孔
３４      蓋部
３６      側面カバー
３８      肉薄ヒンジ
４０      ワイヤブラケット
４２      クリップ
【図１】
2014012479.tif 000003
【図２】
2014012479.tif 000004
【図３】
2014012479.tif 000005
【手続補正書】
【提出日】平成24年8月8日(2012.8.8)
【手続補正１】
【補正対象書類名】図面
【補正対象項目名】全図
【補正方法】変更
【補正の内容】
【図１】
2014012479.tif 000006
【図２】
2014012479.tif 000007
【図３】
2014012479.tif 000008